(57)【要約】【課題】より蓋板を開けることを容易にした収納ケースを提供することである。【解決手段】ケース本体１２の背面板１６の上端に折り曲げ部を介してケース本体の開口部を塞ぐための蓋板が連設された弾性合成樹脂製であって、背面板１６および／または蓋板２４を構成する弾性合成樹脂製板体の幅方向に形成された罫線３４によって区画されてなる開蓋補助体構成片４２，４６が罫線３４に沿って内面側を谷として内側に折り曲げられ、且つ複数の前記開蓋補助体構成片４２，４６がその外面側において重ね合わされ連結されて、開蓋補助体３２が形成され、閉蓋時においては、前記開蓋補助体３２がケース本体１２の収容部１２ｂ側に突出し、開蓋時においては、前記開蓋補助体３２の外部に近い部位を中心に回動するように形成されている。【選択図】図２
2006069608.tif 000002
【特許請求の範囲】
【請求項１】
ケース本体の背面板の上端に折り曲げ部を介してケース本体の開口部を塞ぐための蓋板が連設された弾性合成樹脂製の収納ケースにおいて、
背面板および／または蓋板を構成する弾性合成樹脂製板体の幅方向に形成された罫線によって区画されてなる開蓋補助体構成片が罫線に沿って内面側を谷として内側に折り曲げられ、且つ複数の前記開蓋補助体構成片がその外面側において重ね合わされ連結されて、開蓋補助体が形成され、
閉蓋時においては、前記開蓋補助体がケース本体の収容部側に突出し、
開蓋時においては、前記開蓋補助体の外部に近い部位を中心に回動するように形成された、収納ケース。
【請求項２】
重ね合わされた開蓋補助体構成片のうち、弾性合成樹脂製板体を区画して開蓋補助体構成片を形成する内側の罫線は、蓋板が回動するときの枢軸を構成する、請求項１に記載の収納ケース。
【請求項３】
前記弾性合成樹脂製板体第１の開蓋補助体構成片を形成する直線状の第１の罫線と、第２の開蓋補助体構成片を形成する直線状の第２の罫線と、前記第１の罫線と第２の罫線の間に形成された第１の開蓋補助体構成片と第２の開蓋補助体構成片との間において、前記第１の罫線および第２の罫線と平行に、重ね合わせるための直線状の折曲線とが形成され、弾性合成樹脂製板体は、前記折曲線において、弾性合成樹脂製板体の外側が重ね合わされるように折り曲げられて、該折曲線を挟んで連設された第１の開蓋補助体構成片と第２の開蓋補助体構成片とが重ね合わされた、請求項１または２に記載の収納ケース。
【請求項４】
第１の開蓋補助体構成片と第２の開蓋補助体構成片とは、直線状の第１の罫線と第２の罫線と折曲線とによって区画されて折曲線を挟んで線対称に形成され、折曲線において折り曲げられた第１の開蓋補助体構成片と第２の開蓋補助体構成片とが重ね合わされ、折り曲げられた第１の罫線と第２の罫線とが向き合って、第１の罫線と第２の罫線との間に間隙部が形成された、請求項３に記載の収納ケース。
【請求項５】
背面板および／または蓋板の中間部分においてその左右端縁に亘って、
第１の罫線と第２の罫線とは、第１の開蓋補助体構成片と第２の開蓋補助体構成片との高さ分の間隔をおいて平行に形成され、且つ、折曲線は、前記第１の開蓋補助体構成片と第２の開蓋補助体構成片との間において形成され、第１の罫線と第２の罫線との両側において背面板および／または蓋板の外表面が平面状に揃っている、請求項３または４に記載の収納ケース。
【請求項６】
開蓋補助体は、背面板より上辺に向かうに従ってその幅が狭くなるように形成された、請求項１ないし５に記載の収納ケース。
【請求項７】
第１の開蓋補助体構成片と第２の開蓋補助体構成片とは、直線状の第１の罫線と第２の罫線と該第１の罫線及び第２の罫線より短い折曲線とによって区画されて折曲線を挟んで線対称に形成され、折曲線において折り曲げられた第１の開蓋補助体構成片と第２の開蓋補助体構成片とが重ね合わされ、折り曲げられた第１の罫線と第２の罫線とが向き合って、折曲線側に向けて幅狭になる開蓋補助体が形成された、請求項６に記載の収納ケース。
【発明の詳細な説明】
【技術分野】
【０００１】
この発明は、書類等を入れる収納ケースに関し、特に例えば、弾性合成樹脂製の携帯用収納ケースに関するものである。
【背景技術】
【０００２】
収納ケースとして、弾性合成樹脂製板体を折り曲げ、直方体状に形成した収納ケースがあり、その収納ケースは、上端開口の直方体状に形成されたケース本体と、前記ケース本体の背面板上端に一体化されている蓋体とから構成されている。
【０００３】
【特許文献１】特開２００２−２０５７２８号公報
【発明の開示】
【発明が解決しようとする課題】
【０００４】
この従来の収納ケースは、ケース本体１の後板１１の上端に直線状ヒンジ部ｈ１を介して蓋部２が連設された弾性合成樹脂製の収納用ケースにおいて、ケース面に溝を形成して成る直線状ヒンジ部ｈ１及びその周辺域をケース外面側に少し突出させて湾曲部２５を形成し、後板１１と蓋部２がなす角度が１８０°よりも小さくなったときには前記湾曲部２５がケース内面側に突出すると共にその状態が維持されて、蓋部２を閉じる方向への移動が阻止されるようにして、収納物の出し入れが円滑にできるように構成されている。
一方、蓋体の天地間の長さを長くして、正面板と蓋板２４との重なり合う部分を多くすることにより、全体の剛性を高めようとすることがあるが、その収納ケースでは蓋板を開けることが不自由となる問題がある。
【０００５】
それゆえに、この発明の主たる目的は、より蓋板を開けることを容易にした収納ケースを提供することである。
【課題を解決するための手段】
【０００６】
この発明の請求項１にかかる収納ケースは、ケース本体の背面板の上端に折り曲げ部を介してケース本体の開口部を塞ぐための蓋板が連設された弾性合成樹脂製の収納ケースにおいて、背面板および／または蓋板を構成する弾性合成樹脂製板体の幅方向に形成された罫線によって区画されてなる開蓋補助体構成片が罫線に沿って内面側を谷として内側に折り曲げられ、且つ複数の前記開蓋補助体構成片がその外面側において重ね合わされ連結されて、開蓋補助体が形成され、閉蓋時においては、前記開蓋補助体がケース本体の収容部側に突出し、開蓋時においては、前記開蓋補助体の外部に近い部位を中心に回動するように形成された、収納ケースである。
この発明の請求項２にかかる収納ケースは、重ね合わされた開蓋補助体構成片のうち、弾性合成樹脂製板体を区画して開蓋補助体構成片を形成する内側の罫線は、蓋板が回動するときの枢軸を構成する、請求項１に記載の収納ケースである。
この発明の請求項３にかかる収納ケースは、前記弾性合成樹脂製板体第１の開蓋補助体構成片を形成する直線状の第１の罫線と、第２の開蓋補助体構成片を形成する直線状の第２の罫線と、前記第１の罫線と第２の罫線の間に形成された第１の開蓋補助体構成片と第２の開蓋補助体構成片との間において、前記第１の罫線および第２の罫線と平行に、重ね合わせるための直線状の折曲線とが形成され、弾性合成樹脂製板体は、前記折曲線において、弾性合成樹脂製板体の外側が重ね合わされるように折り曲げられて、該折曲線を挟んで連設された第１の開蓋補助体構成片と第２の開蓋補助体構成片とが重ね合わされた、請求項１または２に記載の収納ケースである。
この発明の請求項４にかかる収納ケースは、第１の開蓋補助体構成片と第２の開蓋補助体構成片とは、直線状の第１の罫線と第２の罫線と折曲線とによって区画されて折曲線を挟んで線対称に形成され、折曲線において折り曲げられた第１の開蓋補助体構成片と第２の開蓋補助体構成片とが重ね合わされ、折り曲げられた第１の罫線と第２の罫線とが向き合って、第１の罫線と第２の罫線との間に間隙部が形成された、請求項３に記載の収納ケースである。
この発明の請求項５にかかる収納ケースは、背面板および／または蓋板の中間部分においてその左右端縁に亘って、第１の罫線と第２の罫線とは、第１の開蓋補助体構成片と第２の開蓋補助体構成片との高さ分の間隔をおいて平行に形成され、且つ、折曲線は、前記第１の開蓋補助体構成片と第２の開蓋補助体構成片との間において形成され、第１の罫線と第２の罫線との両側において背面板および／または蓋板の外表面が平面状に揃っている、請求項３または４に記載の収納ケースである。
この発明の請求項６にかかる収納ケースは、開蓋補助体は、背面板より上辺に向かうに従ってその幅が狭くなるように形成された、請求項１ないし５に記載の収納ケースである。
この発明の請求項７にかかる収納ケースは、第１の開蓋補助体構成片と第２の開蓋補助体構成片とは、直線状の第１の罫線と第２の罫線と該第１の罫線及び第２の罫線より短い折曲線とによって区画されて折曲線を挟んで線対称に形成され、折曲線において折り曲げられた第１の開蓋補助体構成片と第２の開蓋補助体構成片とが重ね合わされ、折り曲げられた第１の罫線と第２の罫線とが向き合って、折曲線側に向けて幅狭になる開蓋補助体が形成された、請求項６に記載の収納ケースである。
【発明の効果】
【０００７】
この発明によれば、背面板および／または蓋板を構成する弾性合成樹脂製板体の幅方向に形成された罫線によって区画されてなる開蓋補助体構成片が罫線に沿って内面側を谷として内側に折り曲げられ、且つ、複数の前記開蓋補助体構成片がその外面側において重ね合わされ連結されて開蓋補助体が形成されているので、もともと平板状であった弾性合成樹脂製板体の罫線によって折り曲げられた部位において、その性質上、もとの平板状に戻ろうとするため、蓋板を開こうとするときに、蓋板を開く方向にその力が働き、蓋板が開け易くなる。しかも、開蓋補助体構成片が罫線に沿って内面側を谷として内側に折り曲げられ、且つ、複数の前記開蓋補助体構成片がその外面側において重ね合わされ連結されて開蓋補助体が形成されているので、罫線を枢軸として蓋板の開閉動作を繰り返しても疲労することなく耐久性に優れた収納ケースを得ることができる。
請求項２の発明によれば、重ね合わされた開蓋補助体構成片のうち、弾性合成樹脂製板体を区画して開蓋補助体構成片を形成する内側の罫線は、蓋板が回動するときの枢軸を構成するので、内側の罫線をヒンジ部分として蓋板を開閉することができる。
請求項３の発明によれば、前記弾性合成樹脂製板体第１の開蓋補助体構成片を形成する直線状の第１の罫線と、第２の開蓋補助体構成片を形成する直線状の第２の罫線と、前記第１の罫線と第２の罫線の間に形成された第１の開蓋補助体構成片と第２の開蓋補助体構成片との間において、前記第１の罫線および第２の罫線と平行に、重ね合わせるための直線状の折曲線とが形成され、弾性合成樹脂製板体は、前記折曲線において、弾性合成樹脂製板体の外側が重ね合わされるように折り曲げられて、該折曲線を挟んで連設された第１の開蓋補助体構成片と第２の開蓋補助体構成片とが重ね合わされているので、罫線をヒンジ部分として蓋板を開閉することができる。
請求項４の発明によれば、第１の開蓋補助体構成片と第２の開蓋補助体構成片とは、直線状の第１の罫線と第２の罫線と折曲線とによって区画されて折曲線を挟んで線対称に形成され、折曲線において折り曲げられた第１の開蓋補助体構成片と第２の開蓋補助体構成片とが重ね合わされ、折り曲げられた第１の罫線と第２の罫線とが向き合って、第１の罫線と第２の罫線との間に間隙部が形成されているので、間隙部側に向けて、折り曲げることができ、蓋板を開閉することができる。
請求項５の発明によれば、背面板および／または蓋板の中間部分においてその左右端縁に亘って、第１の罫線と第２の罫線とは、第１の開蓋補助体構成片と第２の開蓋補助体構成片との高さ分の間隔をおいて平行に形成され、且つ、折曲線は、前記第１の開蓋補助体構成片と第２の開蓋補助体構成片との間において形成され、第１の罫線と第２の罫線との両側において背面板および／または蓋板の外表面が平面状に揃っているので、蓋板を外表面側に開いたとき障害となるものがなく、大きく蓋板を開くことができる。
請求項６及び請求項７の発明によれば、開蓋補助体は、背面板より上辺に向かうに従ってその幅が狭くなるように形成されているので、蓋板の開閉動作のとき、開蓋補助体がケース本体の内側に当接することなく、円滑に蓋板を開閉することができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態である収納ケースの正面側の斜視図解図であり、図２は、図１図示収納ケースの開蓋状態における正面側斜視図解図である。図３は、図１図示収納ケースの背面側の斜視図解図である。
この収納ケース１０は、ポリプロピレン製平板状弾性合成樹脂製板体４０をもって直方体状に形成されたケース本体１２を備え、ケース本体１２は、正面視長方形状の前面板１４と、該前面板１４と適宜な間隔をおいて対向するように形成された正面視長方形状の背面板１６と、該前面板１４と背面板１６の間において、その下端縁に架設された平面視略長方形状の底面板１８と、該底面板１８の上部において前記前面板１４と前記背面板１６との間に形成された側面視長方形状の左右一対の襠板２０および襠板２２と、前記背面板１６の上端縁に連設された蓋板２４とから構成されている。
このケース本体１２は、１枚の平板状弾性合成樹脂製板体４０を、その表面に凹設された罫線３４によって区画されてなる前面板１４、背面板１６、底面板１８、襠板２０、襠板２２および蓋板２４を立方体状に組み立てることによって形成される。
【００１０】
蓋板２４は、ケース本体１２の開口部１２ａを塞ぐために前面板１４及び背面板１６と同一の幅に形成されたもので、底面板１８と対向し、ケース本体１２の上部を塞ぐ平面視長方形状で底面板１８と略同一形状の天部２６と、該天部２６に続いて背面板１６と対向するように下方に垂れ下がる前垂部２８とを備える。天部２６と前垂部２８との間においては、ダブルヒンジ部２４ａが形成され、天部２６と背面板１６の上端縁との間には折り曲げ部たるダブルヒンジ部２４ｂが形成されている。
【００１１】
背面板１６の天側は、蓋板２４の天部２６から弾性合成樹脂製板体４０の厚さ（この実施の形態においては、約１ｍｍ）以上の下がった位置に間隙部３０が背面板１６の幅方向に左端縁から右端縁に亘って連続した直線状に形成され、間隙部３０の内側には、開蓋補助体３２が背面板１６の内側面よりケース本体１２の収容部１２ｂ側に向けて突き出し設けられている。
背面板１６は、間隙部３０によって区画され、間隙部３０より底側の下側の背面板１６ａと、間隙部３０より天側の上側の背面板１６ｂとに分かれ、上側の背面板１６ｂは、背面板１６の最上部に延設された蓋板２４の高さよりも低く形成され、この実施の形態においては、天部２６の略半分の高さに形成されている。
【００１２】
この実施の形態においては、開蓋補助体３２は、背面板１６を構成する弾性合成樹脂製板体４０の外面に幅方向にトムソン刃によって形成された罫線３４により区画されてなる開蓋補助体構成片が、該罫線３４に沿って内面側を谷として内側に折り曲げられ、且つ、開蓋補助体構成片がその外面側において、重ね合わされ連結されて、折り曲げられ重ね合わされたとき罫線３４の間に間隙部３０が形成されてなる。
【００１３】
この開蓋補助体３２は、蓋を閉じた時においては、ケース本体１２の収容部１２ｂ側に突出し、蓋を開く時においては、開蓋補助体３２の外部に近い部位、すなわち、背面板１６と連設される部位を枢軸として、回動するように形成されている。
従って、蓋板２４は、罫線３４によって折り曲げ可能であり、罫線３４の間には間隙部３０が形成されているので、背面板１６と連設される部位を枢軸として間隙部３０側に向けて折り曲げて、蓋板２４を開閉することができる。
【００１４】
弾性合成樹脂製板体４０の外面に幅方向に形成された罫線３４は、蓋板２４の天部２６に近い位置に形成された第１の開蓋補助体構成片４２を形成するための直線状の第１の罫線４４と、第１の開蓋補助体構成片４２に連設され底面板１８の近い側に形成された第２の開蓋補助体構成片４６を形成するための直線状の第２の罫線４８と、前記第１の罫線４４と第２の罫線４８との間で第１の開蓋補助体構成片４２と第２の開蓋補助体構成片４６との間において、前記第１の罫線４４および第２の罫線４８と平行に形成された、第１の開蓋補助体構成片４２と第２の開蓋補助体構成片４６とを重ね合わせるための直線状の折曲線５０とを含む。
第１の罫線４４と第２の罫線４８と折曲線５０とは、等間隔に、トムソン刃によって背面板１６の左端縁から右端縁に亘って連続して適宜な幅（この実施の形態においては、約１ｍｍの幅でその深さが０．３ｍｍ）の断面略Ｕ字型の溝が形成されてなる。
第２の開蓋補助体構成片４６の左端縁と襠板２０との間は切り刃によって切り離されており、また、第２の開蓋補助体構成片４６の右端縁と襠板２２との間は切り刃によって切り離されている。
【００１５】
第１の開蓋補助体構成片４２と第２の開蓋補助体構成片４６とは、折曲線５０を挟んだ線対称である略同一の長方形状であって、折曲線５０を挟んで連結され、折曲線５０において弾性合成樹脂製板体４０の外側面が重ね合わされるように折り曲げられて、第１の開蓋補助体構成片４２と第２開蓋補助片４６とが重ね合わされ、接着剤または溶着によって連結されて、開蓋補助体３２が形成される。
【００１６】
第１の罫線４４および第２の罫線４８は、弾性合成樹脂製板体４０の外面において背面板１６の幅方向に形成され、この第１の罫線４４および第２の罫線４８によって区画されてなる第１の開蓋補助体構成片４２と第２の開蓋補助体構成片４６とが重ね合わされるとき、第１の罫線４４と第２の罫線４８とは、弾性合成樹脂製板体４０の内面側を谷として内側に９０度の角度まで折り曲げられ、第１の開蓋補助体構成片４２と第２の開蓋補助体構成片４６の外面側において、それらが重ね合わされ連結される。第１の罫線４４および第２の罫線４８とは向き合い、それらの間に間隙部３０が形成され、第１の開蓋補助体構成片４２と第２の開蓋補助体構成片４６との両側の背面板１６は外表面が平面状に揃っている。
【００１７】
背面板１６の最上部、すなわち第１の開蓋補助体構成片４２の天側には、それに続いて背面板１６と蓋板２４とを区画し、弾性合成樹脂製板体４０を内面側に向けて折り曲げるためのトムソン刃による凹み線６０及び該凹み線６０と平行にわずかな間隔をあけてトムソン刃により形成された凹み線６２が蓋板２４の幅方向において、その左端縁から右端縁に亘って連続して形成されている。凹み線６０と第１の罫線４４との間隔は、第１の罫線４４と折曲線５０との間、及び折曲線５０と第２の罫線４８との間と同一の間隔、すなわち、等間隔に形成されている。
【００１８】
また該凹み線６０及び６２とは適宜な間隔をあけて、前記凹み線６０及び６２と平行にトムソン刃による凹み線６４と該凹み線６４とは適宜な間隔をあけてトムソン刃により形成された凹み線６６とが形成される。凹み線６０と凹み線６２とは、例えば約５ミリメートル程の間隔を置いて形成され、また凹み線６４と凹み線６６との間も約５ミリメートルの間隔をあけて形成され、前記凹み線６２と前記凹み線６４との間は、蓋板２４の天部２６を形成している。凹み線６０、凹み線６２、凹み線６４及び凹み線６６は、罫線３４と同様に、トムソン刃によって底面板１８及び蓋板２４の左端縁から右端縁に亘って連続して適宜な幅（この実施の形態においては、約１ｍｍの幅でその深さが０．３ｍｍ）の断面略Ｕ字型の溝が形成されてなる。
【００１９】
この一対の凹み線６０と凹み線６２とによって形成されるダブルヒンジ部２４ｂは、弾性合成樹脂製板体４０の内側面を谷側として折り曲げられたダブルヒンジ部を構成し、一対の凹み線６４と凹み線６６とによって形成されるダブルヒンジ部２４ａは、弾性合成樹脂製板体４０が内側面を谷側として折り曲げられたダブルヒンジ部を構成する。
蓋板２４は、ダブルヒンジ部２４ａ及びダブルヒンジ部２４ｂにおいて、弾性合成樹脂製板体４０の弾性により、常時は内側に向けてわずかに折れ曲がった形状である。
【００２０】
背面板１６の左右端縁には凹み線６８及び凹み線７０を介して襠板２０及び襠板２２が連接され、さらに襠板２０及び襠板２２の外側には、凹み線７２及び凹み線７４を介して前面板１４を固定するための前面板固定片８０及び前面板固定片８２が連接されている。
而して、襠板２０及び襠板２２は、凹み線６８及び凹み線７０を弾性合成樹脂製板体４０の内側面に向けて折り曲げるとともに、前面板固定片８０及び前面板固定片８２との間に形成された凹み線７２及び凹み線７４を弾性合成樹脂製板体４０の内側面に向けて折り曲げ、前面板固定片８０及び前面板固定片８２は背面板１６の内側面と対向するように成形する。
【００２１】
底面板１８の前側には、トムソン刃による凹み線７６を介して前面板１４が連接され、底面板１８の後側には、凹み線７８を介して背面板１６が連接される。
そして、凹み線７６及び凹み線７８において弾性合成樹脂製板体４０の内側面に向けて折り曲げ、前面板１４の左右隅部に形成された舌片８４を前面板固定片８０及び前面板固定片８２の両部に切り欠き形成された差込用スリット８６に差し込むことにより、前面板１４を前面板固定片８０及び前面板固定片８２に固定することができる。
【００２２】
この実施の形態によれば、開蓋補助体３２を構成する重ね合わされた第１の開蓋補助体構成片４２と第２の開蓋補助体構成片４６のうち、主として第２の開蓋補助体構成片４６を形成する内側（下側）の第２の罫線４８は、蓋板２４が回動するときの枢軸を構成する。
第１の開蓋補助体構成片４２と第２の開蓋補助体構成片４６とは、直線状の第１の罫線４４と第２の罫線４８と折曲線５０とによって区画されて折曲線５０を挟んで線対称に形成され、折曲線５０において折り曲げられた第１の開蓋補助体構成片４２と第２の開蓋補助体構成片４６とが重ね合わされ、折り曲げられた第１の罫線４４と第２の罫線４８とが向き合って、第１の罫線４４と第２の罫線４８との間に間隙部３０が形成されているので、間隙部３０側に向けて、折り曲げることができ、蓋板２４を開閉することができる。
しかしながら、第１の罫線４４及び第２の罫線４８をもって第１の開蓋補助体構成片４２及び第２の開蓋補助体構成片４６を形成し、第２の罫線４８及び第１の罫線４４を比較的狭い溝幅として、弾性合成樹脂製板体４０を折り曲げて枢軸部分を形成しているので、蓋板２４の開閉動作を繰り返しても、第２の罫線４８及び第１の罫線４４における疲労が少なく、耐久性に優れたものとなる。
【００２３】
そして、第１の開蓋補助体構成片４２及び第２の開蓋補助体構成片４６とは重ねあわされ接着されているため、第１の罫線４４と第２の罫線４８において、ケース本体１２の収容部１２ｂ側に背面板１６とほぼ９０度の角度をもって折り曲げられ、蓋板２４、弾性合成樹脂製板体４０の弾性により、第２の罫線４８の凹んだ部分の開口部分を閉じる方向に向けて付勢され、第２の開蓋補助体構成片４６に連接された背面板１６のうち下側の背面板１６ａとが弾性合成樹脂製板体４０の元の状態である平板状に戻ろうとする力が作用する。
また、第１の開蓋補助体構成片４２と背面板１６を構成する上側の背面板１６ｂとの間に形成された第１の罫線４４において、第１の罫線４４の凹んだ部分の開口部分を閉じる方向に向けて、すなわち第１の開蓋補助体構成片４２と背面板１６とに弾性合成樹脂製板体４０の元の状態である平板状に戻ろうとする力が作用する。
【００２４】
さらに、背面板１６と蓋板２４の天部２６との境界において、弾性合成樹脂製板体４０に形成された凹み線６０及び凹み線６２からなるダブルヒンジ部２４ｂも凹み線６０及び凹み線６２を閉じる方向に向けて弾性合成樹脂製板体４０の元の状態である平板状に戻ろうとする力が作用する。
したがって、蓋板２４を開蓋するとき、弾性合成樹脂製板体４０の弾性により、開蓋補助体３２が形成された位置及び蓋板２４及び上側の背面板１６ｂの重量との関係において、容易に蓋板２４を開けることができる。
【００２５】
この収納ケース１０は、主として携帯用に用いられるもので、蓋板２４の天部２６には提げ手９０が付設されている。
また、蓋板２４を留めるための留め具９２が蓋板２４の前垂部２８の下側縁近所に付設され、該留め具９２を係止するための留め具９４が前面板１４の外表面の適宜な位置に付設されている。
【００２６】
この発明は、前記実施の形態に限らず、この発明の思想に基づき、種々変更することが可能である。
例えば、図９及び１０に示すように、開蓋補助片の形成される部位を、背面板の最上部より下部に形成するのではなく、より蓋板２４の天部２６に近い位置に形成してもよい。
そして、開蓋補助片をケース本体の収容部内に突出するように形成するのではなく、例えば蓋板２４の天部２６の内側面に接着し、蓋板２４の天部２６と一体化するようにしてもよい。
【００２７】
開蓋補助体３２は、図１１及び図１２に示すように、その左右端縁がケース本体１２の内側面、特に、襠板２２及び蓋板２４の内側面に当接しないで、蓋板２４の開閉をより容易にするために、第１の開蓋補助体構成片４２及び第２の開蓋補助体構成片４６の左右端縁を切り欠き、折曲線５０に向けて傾斜して幅狭になるＶ字型に凹むようにしてもよい。第１の開蓋補助体構成片４２と第２の開蓋補助体構成片４６とは、折曲線５０を挟んで線対称に形成されている。
すなわち、開蓋補助体３２は、折曲線５０の方に向かうに従って幅狭になる短い台形状に形成されてもよい。
【図面の簡単な説明】
【００２８】
【図１】この発明の一実施の形態である収納ケースの正面側の斜視図解図である。
【図２】図１図示収納ケースの開蓋状態における正面側斜視図解図である。
【図３】図１図示収納ケースの背面側の斜視図解図である。
【図４】図１図示収納ケースの要部を示すＡ−Ａ断面図解図である。
【図５】図１図示収納ケースの開蓋状態における図２図示Ｂ−Ｂ断面図解図である。
【図６】ケース本体を構成する合成樹脂製板体の平面図である。
【図７】図６図示合成樹脂製板体のＣ−Ｃ断面図である。
【図８】図６図示Ｄ部の平面図解図である。
【図９】開蓋補助片の別の実施の形態を示す一部を断面とした斜視図解図である。
【図１０】開蓋補助片の別の実施の形態を示す一部を断面とした斜視図解図である。
【図１１】別の実施の形態である収納ケースの開蓋状態における正面側斜視図解図である。
【図１２】図１１図示収納ケースのケース本体を構成する合成樹脂製板体の要部の平面図解図である。
【符号の説明】
【００２９】
１０  収納ケース
１２  ケース本体
１２ａ  開口部
１２ｂ  収容部
１４  前面板
１６  背面板
１６ａ  下側の背面板
１６ｂ  上側の背面板
１８  底面板
２０，２２  襠板
２４  蓋板
２４ａ，２４ｂ  ダブルヒンジ部
２６  天部
２８  前垂部
３０  間隙部
３２  開蓋補助体
３４  罫線
４０  弾性合成樹脂製板体
４２  第１の開蓋補助体構成片
４４  第１の罫線
４６  第２の開蓋補助体構成片
４８  第２の罫線
５０  折曲線
６０，６２，６４，６６，６８，７０，７２，７４，７６，７８  凹み線
８０，８２  前面板固定片
８４  舌片
８６  差込用スリット
９０  提げ手
９２，９４  留め具
【図１】
2006069608.tif 000003
【図２】
2006069608.tif 000004
【図３】
2006069608.tif 000005
【図４】
2006069608.tif 000006
【図５】
2006069608.tif 000007
【図６】
2006069608.tif 000008
【図７】
2006069608.tif 000009
【図８】
2006069608.tif 000010
【図９】
2006069608.tif 000011
【図１０】
2006069608.tif 000012
【図１１】
2006069608.tif 000013
【図１２】
2006069608.tif 000014